(57)【要約】【目的】本考案では棚板の傾斜角度を容易に変更できると共に傾斜した棚板を確実に保持し、脱落のおそれのない棚装置を提供することを目的とする。【構成】上記課題を解決するために本考案の請求項１に記載した棚装置は棚板と棚板保持具から構成される。この棚板は物品載置面と上方に延設した前方端面と棚板保持具への係止部を備えている。一方棚板保持具は水平な天板の後方をＬ字型に屈曲させて壁面係止部或いは一対の側板に架設した横桟への係止部とすると共に前方端面を円弧状に形成し、複数の棚板係止溝を形成するのである。これによると、例えば一対の側板に架設した横桟に、棚板保持具のＬ字型係着部を係着させ、次に棚板の係着部を棚板保持具の溝にスライド嵌合して係着するのである。棚板の傾斜角を変更したいときは棚板をスライドさせて保持具から抜き取り、所望角度に傾いた横溝に棚板を再びスライド挿入して係着保持するのである。【選択図】図１
0003132743.tif 000002
【実用新案登録請求の範囲】
【請求項１】
棚板保持具の後縁部に棚フレームへの係着部を設けると共に、前方端面を円弧状に形成し、当該前方端面に対し放射状に傾斜した、側面視において鍵穴状のスライド横溝を設ける。
一方、棚板の前方縁を上方に延設すると共に、側面視において鍵穴状の係着部に形成した後方縁を棚板保持具のスライド横溝に挿入して係着保持したことを特徴とする棚装置。
【請求項２】
棚板の前方縁の内側に一又は二以上の横溝を形成した請求項１記載の棚装置。  
【考案の詳細な説明】
【技術分野】
【０００１】
本考案は、棚板の傾斜角度を容易に変更できるようにした棚板の角度調整機能付き棚装置に関するものである。
【背景技術】
【０００２】
従来、棚板を傾斜した状態で支持するには棚本体の側板内側面の前方及び後方に上下位置変更可能な棚受け具を係着させ、棚板の左右下面の前後に形成した凹溝部を嵌合させる棚装置に置いて、棚板の前後方向の向きを入れ替えて棚板全体を傾斜させている。（特許文献１）
また、左右に配置された両側壁体の正面向きの前縁面を下端部から上下方向中途部の間において上向きに傾斜せしめられ、上下方向中途部から上端部の間において下向きに傾斜するように全体としてほぼ円弧状に形成された陳列棚装置がある。（特許文献２）
さらに、一対の支柱の枢支部に回動可能に取着した棚板と複数の係止凹部を有する支え片を連結し、支柱の枢支部下方に設けた係止ピンを係止凹部に係止させる棚板がある。（特許文献３）
【特許文献１】特開２００６−１３０１７８号公報
【特許文献２】特開２００３−２９０００１号公報
【特許文献３】実開平５−７２２３１号公報
【考案の開示】
【考案が解決しようとする課題】
【０００３】
しかしながら、特許文献１記載の棚板傾斜手段にあっては棚板の前後方向の向きを変えて棚板の凹溝を後方の棚受け具と嵌合させる方法であり、棚板の傾斜角度は一つに限定されてしまう。また、側板に設けた棚受け具に棚板の嵌合部をはめ込んだだけの構成であるため棚板ががたついたり、衝撃ではずれるおそれがあり棚板を確実に保持できない。
【０００４】
これは係止ピンを係止凹部に係止させて棚板の傾斜角を調節する特許文献２及び３記載の棚装置にも同様に存在する不具合である。
【０００５】
そこで、本考案では棚板の傾斜角度を容易に変更できると共に傾斜した棚板を確実に保持し、脱落のおそれのない棚装置を提供することを目的とする。
【課題を解決するための手段】
【０００６】
上記課題を解決するために本考案の請求項１に記載した棚装置は棚板と棚板保持具から構成される。
【０００７】
この棚板は物品載置面と上方に延設した前方端面と棚板保持具への係止部を備えている。一方棚板保持具は水平な天板の後方をＬ字型に屈曲させて壁面係止部或いは一対の側板に架設した横桟への係止部とすると共に前方端面を円弧状に形成し、複数の棚板係止溝を形成するのである。
【０００８】
これによると、例えば一対の側板に架設した横桟に、棚板保持具のＬ字型係着部を係着させ、次に棚板の係着部を棚板保持具の溝にスライド嵌合して係着するのである。
【０００９】
棚板の傾斜角を変更したいときは棚板をスライドさせて保持具から抜き取り、所望角度に傾いた横溝に棚板を再びスライド挿入して係着保持するのである。
【考案の効果】
【００１０】
１．棚板保持具の棚板フレームへの係着がワンタッチで行え容易である。
２．棚板の傾斜角度を容易に変更できる。
３．棚板が保持具の全長にわたり形成された横溝全体で確実に係着保持されているため、係止ピンなどへ棚板を嵌合させて棚板を保持する方法と異なり、棚板ががたついたり、衝撃によって棚板がはずれたりするおそれがない。
４．スライド溝からの棚板の落下防止装置を備えているため、物品を載置した傾斜棚板がスライド溝から前方向へはずれることがない。
【考案を実施するための最良の形態】
【００１１】
本考案の最適の実施形態について図面を参照しながら詳説する。
【００１２】
図１が本考案の棚装置における棚板保持具の右側面図、図２が正面図である。棚板１はステンレス製或いはアルミ等の金属製の板であって水平面２を有し、後方にはＬ字型に屈曲させて棚フレームに係着させる係着部３が形成されている。
【００１３】
本考案の棚装置を使用した棚の全体像は図示されていないが、一対の側壁体を左右に起立配置すると共に、両側壁体を横桟で連結したフレーム構成となっている。棚板保持具の係着部３をこの横桟に係着保持するのである。
【００１４】
また、棚板保持具の係着部３に穴を複数個設けて、壁面にボルト等で固着して係止することも可能である。
【００１５】
棚板保持具１の正面向き前縁面２ａは下向きの円弧状に形成されており、更に前縁面２ａには円弧の中央４に対向する方向に側面視において鍵穴状を呈するスライド溝５、６、７が複数横方向に形成されている。
【００１６】
図１では溝５がほぼ水平に形成されているのに対し溝６は約４５度下向きの傾斜角度、溝７は７５度程度下向きに傾斜させて形成されている。この溝の幅や傾斜角度、溝数は本実施例に限定されるものではなく、考案の技術的な範囲を逸脱しない程度に適宜変更、増減が可能である。
【００１７】
次に棚板８について説明する。
【００１８】
図３が棚板８の正面図である。棚板８はＵ字状に折り曲げた前縁部９を有する。請求項２に記載した棚板装置の棚板の前縁部９には複数の溝９ａ、９ｂが形成されている。この前縁部９は商品の落下防止枠となると共に、ＣＤやＤＶＤケース等を載置する際に複数の溝から適宜選択することでさらに微妙な傾斜角度をつけることができるのである。
【００１９】
棚板８の後縁部には棚板保持具１への係着部１０が一体形成されている。係着部１０は保持具１の溝と同様の側面視において鍵穴状を呈しており、溝幅よりもやや狭く形成された導入部１０ａと係止部１０ｂを有する。係止部１０ｂは棚板保持具の溝幅よりも大きく形成されているため、棚板８を傾斜させて棚板保持具に係着させても棚板が前方向に抜け落ちることがないのである。
【００２０】
図４は棚板８を棚板保持具１に取り付けた状態を示す説明図である。
【００２１】
棚本体の両側壁体（図示せず）を架設連結する横桟１１に棚板保持具１の係着部３を係着させた後、所望の傾斜角度を有する溝５、６或いは７へ横方向から棚板８をスライド挿入するのである。棚板８の傾斜角度を変更したいときは横方向に棚板をスライドさせて抜き取り、再度他のスライド溝へ挿入するのである。
【図面の簡単な説明】
【００２２】
【図１】棚板保持具の右側面図。
【図２】棚板保持具の一部省略正面図。
【図３】棚板の正面図。
【図４】棚板を棚板保持具に係着保持した状態を示す説明図。
【符号の説明】
【００２３】
１、棚板保持具
３、棚フレームへの係着部
５、６、７、棚板保持具のスライド溝
８、棚板
９、棚板の前縁部
１０、棚板保持具への係着部
【図１】
0003132743.tif 000003
【図２】
0003132743.tif 000004
【図３】
0003132743.tif 000005
【図４】
0003132743.tif 000006
【手続補正書】
【提出日】平成19年4月18日(2007.4.18)
【手続補正１】
【補正対象書類名】実用新案登録請求の範囲
【補正対象項目名】全文
【補正方法】変更
【補正の内容】
【実用新案登録請求の範囲】
【請求項１】
棚板保持具の後縁部に棚フレームへの係着部を設けると共に、前方端面を円弧状に形成し、当該前方端面に対し放射状に傾斜した、側面視において鍵穴状のスライド横溝を設け、棚板の前方縁を上方に延設すると共に、側面視において鍵穴状の係着部に形成した後方縁を棚板保持具のスライド横溝に挿入して係着保持したことを特徴とする棚装置。
【請求項２】
棚板の前方縁の内側に一又は二以上の横溝を形成した請求項１記載の棚装置。